(57)【要約】【課題】適切な情報提供を実現する。【解決手段】情報提供装置において、予め記憶部に記憶されたコンテンツからユーザの位置情報に対応するコンテンツを選択する選択部と、前記選択部により選択された前記コンテンツに対する前記ユーザの慣れ度合に対応させた多重数で前記コンテンツを多重し、多重した前記コンテンツを前記ユーザに提供する提供部とを有する。【選択図】図１
2015023534.tif 000002
【特許請求の範囲】
【請求項１】
予め記憶部に記憶されたコンテンツからユーザの位置情報に対応するコンテンツを選択する選択部と、
前記選択部により選択された前記コンテンツに対する前記ユーザの慣れ度合に対応させた多重数で前記コンテンツを多重し、多重した前記コンテンツを前記ユーザに提供する提供部とを有することを特徴とする情報提供装置。
【請求項２】
前記コンテンツに対する前記ユーザの慣れ度合は、前記コンテンツを提供する人物への慣れ、前記コンテンツの慣れ、前記コンテンツが提供された場所への慣れのうち、少なくとも１つに対応する慣れの度合であることを特徴とする請求項１に記載の情報提供装置。
【請求項３】
前記ユーザの前記コンテンツに対する累積利用時間から前記コンテンツの最大多重数を判断し、前記ユーザのコンテンツ毎の利用時間、利用回数、及び前記コンテンツを利用した位置情報に対する回数のうち、少なくとも１つに基づいて前記コンテンツに対する認識率を判断する判断部とを有し、
前記選択部は、前記判断部から得られる前記最大多重数及び前記認識率に基づいて前記慣れ度合に対応する多重数で多重させるコンテンツを選択することを特徴とする請求項１又は２に記載の情報提供装置。
【請求項４】
前記提供部により前記ユーザに提供されたコンテンツに対応させて前記累積利用時間、前記利用時間、前記利用回数、及び前記コンテンツを利用した位置情報に対する回数の値を更新する管理部を有することを特徴とする請求項３に記載の情報提供装置。
【請求項５】
前記選択部は、
前記コンテンツ毎に設定された優先度に応じて前記ユーザに提供するコンテンツを選択することを特徴とする請求項１乃至４の何れか１項に記載の情報提供装置。
【請求項６】
ユーザ端末と、該ユーザ端末にコンテンツを提供する情報提供装置とを有する情報提供システムにおいて、
前記情報提供装置は、
前記ユーザ端末の位置情報を取得し、予め記憶部に記憶されたコンテンツから前記位置情報に対応するコンテンツを選択する選択部と、
前記選択部により選択された前記コンテンツに対する前記ユーザ端末を使用するユーザの慣れ度合に対応させた多重数で前記コンテンツを多重し、多重した前記コンテンツを前記ユーザ端末に提供する提供部とを有することを特徴とする情報提供システム。
【請求項７】
予め記憶部に記憶されたコンテンツからユーザの位置情報に対応するコンテンツを選択し、
選択された前記コンテンツに対する前記ユーザの慣れ度合に対応させた多重数で前記コンテンツを多重し、多重した前記コンテンツを前記ユーザに提供する、処理をコンピュータに実行させるための情報提供プログラム。
【発明の詳細な説明】
【技術分野】
【０００１】
本発明は、情報提供装置、情報提供システム、及び情報提供プログラムに関する。
【背景技術】
【０００２】
多くの人や物、サービス等からの音声等のコンテンツによる情報提供が従来から行われている。音声は、一次元の時系列情報である。そのため、長い文章の中に分散して有益な情報がある場合、ユーザは、興味のない部分も我慢して聞き続け、有益な情報が再生されるまで待つ必要が生じる。
【０００３】
また、従来の情報提供では、複数の音声を多重して出力されることも多いが、単純に複数の音声を多重して出力するだけでは音が重なり過ぎて聞き取れない。そこで、例えばサーバが音声情報とタイミング情報と配信して、重ならないタイミングで音声を出力したり、別の方向に音像定位した複数の音を同時に出力する手法がある。また、音声の再生タイミングが重なる場合に再生中や再生待ちの音声の数に応じて再生スピードを早くしたり、単語の音圧を調整する手法がある（例えば、特許文献１〜４参照）。
【先行技術文献】
【特許文献】
【０００４】
【特許文献１】国際公開第２００３／０８５５１１号
【特許文献２】特開平１０−１２４２９２号公報
【特許文献３】特開２００２−０２３７８７号公報
【特許文献４】特開２００５−０７０４３０号公報
【発明の概要】
【発明が解決しようとする課題】
【０００５】
多重した音声の聞き取り易さには、各ユーザの情報提供システムの利用回数や利用時間等に基づく熟練度や、聞こえる音への慣れといった要因が関係している。しかしながら、従来手法には、上述した要因に対する適切な情報提供が実現されていない。
【０００６】
１つの側面では、本発明は、適切な情報提供を実現することを目的とする。
【課題を解決するための手段】
【０００７】
一態様における情報提供装置は、予め記憶部に記憶されたコンテンツからユーザの位置情報に対応するコンテンツを選択する選択部と、前記選択部により選択された前記コンテンツに対する前記ユーザの慣れ度合に対応させた多重数で前記コンテンツを多重し、多重した前記コンテンツを前記ユーザに提供する提供部とを有する。
【発明の効果】
【０００８】
適切な情報提供を実現することができる。
【図面の簡単な説明】
【０００９】
【図１】本実施形態における情報提供システムの構成例を示す図である。
【図２】情報提供装置のハードウェア構成例を示す図である。
【図３】ユーザ端末のハードウェア構成例を示す図である。
【図４】情報提供システムの処理の一例を示すシーケンス図である。
【図５】情報処理システムで用いられる各種データ例を示す図である。
【図６】熟練度情報が有する各累積情報の一例を示す図である。
【図７】音声数判断基準の一例を示す図である。
【図８】選択部の処理の一例を示すフローチャートである。
【図９】最大多重数判断部の処理の一例を示すフローチャートである。
【図１０】音声数判断部の処理の一例を示すフローチャートである。
【図１１】音声提供部の処理の一例を示すフローチャートである。
【図１２】熟練度情報管理部の処理の一例を示すフローチャートである。
【図１３】本実施形態における音声提供の具体例を説明するための図である。
【図１４】新人ユーザに対する音声提供の一例を示す図である。
【図１５】熟練ユーザに対する音声提供の一例を示す図である。
【図１６】優先度を有するコンテンツインデックスのデータ例を示す図である。
【図１７】他の実施形態における選択部の処理の一例を示すフローチャートである。
【発明を実施するための形態】
【００１０】
以下、添付図面を参照しながら実施例について詳細に説明する。
【００１１】
＜本実施形態における情報提供システムの概略構成例＞
図１は、本実施形態における情報提供システムの構成例を示す図である。図１に示す情報提供システム１０は、提供する情報（コンテンツ）の一例として音声を提供するシステムを示しているが、提供する情報の種類については、これに限定されるものではない。図１に示す情報提供システム１０は、情報提供装置１１と、ユーザ端末１２とを有する。情報提供装置１１と、ユーザ端末１２とは、例えば通信ネットワーク１３によりデータの送受信が可能な状態で接続されている。図１の例において、情報提供装置１１とユーザ端末１２とは１対１の関係になっているが、１対ｎの関係でもよい。
【００１２】
情報提供システム１０は、例えばシステムに対するユーザ毎の熟練度や音声へ慣れ等に応じた音声（コンテンツ）の多重度を設定し、設定した多重度に応じた音声を提供する。ここで、情報提供システム１０は、複数の音声Ａｕｇｍｅｎｔｅｄ  Ｒｅａｌｉｔｙ（ＡＲ、拡張現実）を実行する音声ＡＲシステムでもよい。音声ＡＲとは、例えばある地点を基準にした周囲の音声環境を、限られた数の仮想スピーカ（仮想音源）として集約し、その情報を別の地点に送信して再現する手法である。複数の音声ＡＲを実行する音声ＡＲシステムにおいて、ユーザの慣れ度合（例えば、利用時間、利用回数等）や複数の音声ＡＲの音質等の組み合わせに応じて音声ＡＲの多重数を切り替える。これにより、情報提供システム１０は、ユーザが認識できる適切な多重度の音声を生成することができ、複数の音声を効率よく提供することができる。
【００１３】
情報提供装置１１は、ユーザ端末１２を使用するユーザ毎に情報提供システム１０への熟練度や音声に対する慣れに基づいて、提供する音声の最大多重度や音声数を判断する。音声数とは、例えばユーザの慣れ度合等に対応して音声毎に設定される値であり、多重数の算出時に用いられる。例えば、ユーザが今まで聞いたことがない音声には音声数が「１」と設定される。これに対し、何度も聞いたことがあり、その音声の一部を聞けば全体として何を言っているのかをある程度把握でき、他の音声と多重させても影響がない音声に対しては、「０．８」や「０．５」等の「１」より小さい音声数が設定される。なお、音声数とは、ユーザがその情報を認識することができる情報量の割合（認識率）の一例であり、例えば映像や文字情報等の音声以外のコンテンツに対しても同様な値を設定することができる。
【００１４】
情報提供装置１１は、上述した音声数に基づき、その合計が最大多重度を越えないように音声の再生を制御する。例えば、情報提供装置１１は、最大多重度が「１」である場合であっても、音声数が共に「０．５」である聞き慣れた２つの音声であれば、多重させることができる。これにより、情報提供装置１１は、各ユーザに適切な情報提供を実現することができる。また、各ユーザに聞き取り易い音声を提供することで、音声提供の効率の向上させることができる。
【００１５】
情報提供装置１１は、例えばサーバやＰｅｒｓｏｎａｌ  Ｃｏｍｐｕｔｅｒ（ＰＣ）等であるが、これに限定されるものではなく、例えば一以上の情報処理装置を有するクラウドコンピューティング等により実現されるものであってもよい。
【００１６】
ユーザ端末１２は、情報提供装置１１からの情報を取得するための端末である。ユーザ端末１２は、例えば使用するユーザを識別するためのユーザ情報と、ユーザ端末１２の現在の位置情報（例えば、緯度・経度や座標等）とを、通信ネットワーク１３を介して情報提供装置１１に送信する。また、ユーザ端末１２は、情報提供装置１１から得られるユーザ情報に応じた多重音声を受信し、受信した音声を出力する。
【００１７】
例えば、ユーザ端末１２は、上述した音声ＡＲによる多重音声を情報提供装置１１から受信して再生することができる。なお、ユーザ端末１２から出力される音声は、音声ＡＲによる音声に限定されるものではない。
【００１８】
ユーザ端末１２は、例えばタブレット端末やスマートフォン、携帯電話等の通信端末であるが、これに限定されるものではなく、例えばゲーム機器や音楽再生機器等でもよい。
【００１９】
通信ネットワーク１３は、例えばインターネットやＬｏｃａｌ  Ａｒｅａ  Ｎｅｔｗｏｒｋ（ＬＡＮ）等のネットワークである。通信ネットワーク１３は、有線でも無線でもよく、また有線及び無線を組み合わせたものでもよい。
【００２０】
次に、図１における情報提供装置１１及びユーザ端末１２の機能構成例について説明する。
【００２１】
＜情報提供装置１１の機能構成例＞
図１に示す情報提供システム１０は、通信部２１と、端末情報取得部２２と、選択部２３と、最大多重数判断部２４と、音声数判断部２５と、音声提供部２６と、熟練度情報管理部２７とを有する。また、情報提供装置１１は、コンテンツインデックス３１と、利用管理情報３２と、最大多重数判断基準３３と、音声数判断基準３４と、熟練度情報３５と、コンテンツ本体３６とを有する。これらの各情報は、例えば情報提供装置１１の記憶部等に記憶される。
【００２２】
通信部２１は、通信ネットワーク１３を介してユーザ端末１２とのデータの送受信を行う。通信部２１は、ユーザ端末１２からユーザを識別するためのユーザ情報やユーザ端末の現在の位置情報等を含む音声リクエスト（情報リクエスト）を受信する。受信した音声リクエストは、端末情報取得部２２に出力する。また、通信部２１は、音声提供部２６により得られる１又は複数の音声を、通信ネットワーク１３を用いてユーザ端末１２に出力する。
【００２３】
端末情報取得部２２は、通信部２１により得られる音声リクエストから、ユーザ端末１２を使用するユーザ情報と、ユーザ端末１２の位置情報とを取得する。
【００２４】
選択部２３は、端末情報取得部２２から得られるユーザ端末１２の位置情報に基づいてコンテンツインデックス３１から１又は複数のコンテンツを取得する。例えば、選択部２３は、ユーザ端末１２の位置情報と、コンテンツインデックス３１に含まれる音声（コンテンツ）が出力される位置情報とを比較し、２つの位置間の距離が所定値以内となった場合に、その音声に関する情報を取得する。音声に関する情報とは、例えばその音声を発する人物を識別する人物ＩＤ、音声内容を識別する音声ＩＤ等であるが、これに限定されるものではない。
【００２５】
なお、選択部２３は、上述したように２つの位置間の距離から音声を選択するだけではなく、他の選択手法を用いてもよい。例えば、選択部２３は、ユーザ端末１２の位置情報を基準に所定の範囲（例えば、位置情報を中心に半径１０ｍ以内等）を設定する。次に、選択部２３は、コンテンツインデックス３１を参照し、位置情報が上述した所定の範囲に含まれるコンテンツ（音声）に関する情報を取得してもよい。
【００２６】
例えば、選択部２３は、複数のコンテンツを選択する場合に、コンテンツインデックス３１に含まれる音声のうち、未取得の音声であって、ユーザ端末１２の位置情報からの距離が最近傍の音声ＩＤから順番に取得する。また、選択部２３は、最大多重数判断部２４により得られる最大多重数を越えないように、音声数判断部２５から得られる音声毎の音声数に基づいて、多重させる音声を選択する。
【００２７】
また、選択部２３は、音声が選択された場合に、例えば独立した利用ＩＤを発行して利用管理情報３２に追加し、音声提供部２６により管理させる。なお、選択部２３は、例えば利用管理情報３２によるユーザ端末１２毎の各音声の利用状況に対応させて上述した音声数を調整してもよい。
【００２８】
最大多重数判断部２４は、予め設定された最大多重数判断基準３３と、熟練度情報３５とに基づいて、各ユーザに対応する音声の最大多重数を判断する。また、音声数判断部２５は、予め設定された音声数判断基準３４と、熟練度情報３５とに基づいて、各音声に対応する音声数を判断する。なお、最大多重数判断部２４及び音声数判断部２５は、例えば１つの判断部として構成されていてもよい。
【００２９】
音声提供部２６は、利用管理情報３２に含まれる音声ＩＤに基づいて予め多数のコンテンツが蓄積されたコンテンツ本体３６を参照し、対応する音声（コンテンツ）を抽出する。また、音声提供部２６は、抽出した音声を多重させて所定のタイミングで通信部２１からユーザ端末１２に送信させる。
【００３０】
また、音声提供部２６は、例えばユーザ端末１２から得られる音声リクエストに含まれるユーザの移動方向や姿勢情報等から、各音声を集約して音声ＡＲ再生用の音像定位を行ってもよい。例えば、音声提供部２６は、ユーザの姿勢情報と、予め設定された仮想スピーカ配置情報とに基づいて、各音声がユーザのどの位置から聞こえるかを設定することで、音像定位を行うことができる。ここで、音像定位は、例えばＨｅａｄ  Ｒｅｌａｔｅｄ  Ｔｒａｎｓｆｅｒ  Ｆｕｎｃｔｉｏｎ（ＨＲＴＦ、頭部伝達関数）等を用いて、任意の方角に対応するＨＲＴＦを音声データ（音源信号）に畳み込む処理を行う。これにより、あたかも音声が任意の方角から聞こえたような効果を得ることができる。
【００３１】
なお、音声提供部２６は、複数の音声を多重させて同時に出力してもよいが、それぞれの音の始まりが聞き取り易いように、複数の音声のり利用開始時間をずらして多重させてもよい。音声提供部２６は、音声をユーザ端末１２に送信して利用（再生）させるタイミング情報を利用管理情報３２に記憶する。また、音声提供部２６は、所定のタイミングでユーザ端末１２に送信し、利用（再生）が終了した音声の情報を熟練度情報管理部２７に出力することで、熟練度情報管理部２７による熟練度情報３５の更新を行わせる。また、音声提供部２６は、熟練度情報管理部２７に出力した音声の情報を利用管理情報３２から削除する。
【００３２】
熟練度情報管理部２７は、音声提供部２６により得られた再生済みの音声情報に基づき、例えばユーザの各音声における累積利用時間等に対応する熟練度（例えば、人物への慣れ、音声への慣れ等）の生成や更新等の管理を行う。
【００３３】
＜ユーザ端末１２の機能構成例＞
図１に示すユーザ端末１２は、通信部４１と、音声出力部の一例としてのイヤホン４２と、計測部の一例としての位置センサ４３とを有する。
【００３４】
通信部４１は、通信ネットワーク１３を介して情報提供装置１１とデータの送受信を行う。通信部４１は、例えばユーザ情報及び位置センサ４３から取得した位置情報を含む音声リクエストを生成して情報提供装置１１に送信する。なお、音声リクエストには、ユーザの移動方向や姿勢情報等を有していてもよい。また、通信部４１は、情報提供装置１１から得られる１又は複数の多重された音声を受信し、受信した音声をイヤホン４２から出力する。
【００３５】
イヤホン４２は、通信部４１から得られる情報提供装置１１からの音声を再生出力する。イヤホン４２は、例えばユーザの両耳等に装着することで、左右の耳からユーザに仮想スピーカによる音声ＡＲ等の音を出力することができる。なお、音声出力部としては、イヤホン４２に限定されるものではなく、例えばヘッドホンやサラウンドスピーカ等を用いることができる。
【００３６】
位置センサ４３は、例えばリアルタイム、所定時間間隔毎又はユーザから音声リクエストの生成時等の所定のタイミングでユーザ端末１２の位置を取得する。なお、位置センサ４３は、例えばＧｌｏｂａｌ  Ｐｏｓｉｔｉｏｎｉｎｇ  Ｓｙｓｔｅｍ（ＧＰＳ）機能等を用いて位置情報を取得することができる。位置情報取得部６７における位置取得は、上述したＧＰＳ機能に限定されるものではなく、例えばユーザ端末１２が通信可能な基地局や中継装置等の位置を基準に位置情報を取得してもよい。
【００３７】
また、位置センサ４３は、ユーザの移動方向や姿勢情報等を検出するセンサでもよい。姿勢情報とは、例えばユーザの頭部の姿勢であり、ユーザが正面を向いている方向を示す情報である。例えば、ある方向（例えば、北）を０度として０〜３６０度で表現することができるが、これに限定されるものではない。また姿勢情報として、頭部の上下の向き（角度）を含んでいてもよい。その場合の位置センサ４３は、例えば加速度センサや方位センサ等をユーザの頭部に取り付けることで頭部姿勢（方位）を取得してもよい。また、例えばカメラ等の撮像手段により撮影した映像に映っている被写体（例えば、構造物等）等からユーザの頭部姿勢を取得してもよいが、これに限定されるものではない。上述した音声出力部と計測部とは、例えばヘッドホンとして一体に形成されていてもよい。
【００３８】
本実施形態では、情報提供システム１０からの音声提供を数回受けたことがある熟練者であれば、例えば３つの音声が重なりながら提示されても、物体や人物の位置や内容が把握できるが、音声提供を初めて体験したユーザは、１つの音声の途中に別の音声が重なっただけで物体や人物の位置や内容がわからなくなる。つまり、情報提供システム１０への慣れ、音声の学習が、音の定位感を向上させる。
【００３９】
したがって、本実施形態では、個人差や環境差等に応じて音声の提示の多重度を変える。なお、個人差や環境差となる一例としては、例えば声色や音声の内容を知っているか、複数の物体の間で声色が似ているかどうか、位置が離れているか、物体や人物を視認しているか等の要素や、音質の組み合わせ等があるが、これに限定されるものではない。これにより、人や状況の差に応じて音声を提供する多重度を変えることで、ユーザ毎にそのときの一番効率のよい情報提示を実現することができる。
【００４０】
＜情報提供装置１１のハードウェア構成例＞
次に、情報提供装置１１のハードウェア構成例について、図を用いて説明する。図２は、情報提供装置のハードウェア構成例を示す図である。図２の例において、情報提供装置１１は、入力装置５１と、出力装置５２と、ドライブ装置５３と、補助記憶装置５４と、主記憶装置５５と、Ｃｅｎｔｒａｌ  Ｐｒｏｃｅｓｓｉｎｇ  Ｕｎｉｔ（ＣＰＵ）５６と、ネットワーク接続装置５７とを有し、これらはシステムバスＢで相互に接続されている。
【００４１】
入力装置５１は、情報提供装置１１の管理者等からのプログラムの実行指示、各種操作情報、ソフトウェア等を起動するための情報等の入力を受け付ける。入力装置５１は、情報提供装置１１の管理者等が操作するキーボード及びマウス等のポインティングデバイスや、マイク等の音声入力デバイスを有する。
【００４２】
出力装置５２は、本実施形態における情報提供装置１１を操作するのに必要な各種ウィンドウやデータ等を表示するディスプレイを有し、ＣＰＵ５６が有する制御プログラムによりプログラムの実行経過や結果等を表示することができる。
【００４３】
ここで、情報提供装置１１等のコンピュータ本体にインストールされる実行プログラムは、例えば記録媒体５８等により提供される。プログラムを記録した記録媒体５８は、ドライブ装置５３にセット可能であり、ＣＰＵ５６からの制御信号に基づき、記録媒体５８に含まれる実行プログラムが、記録媒体５８からドライブ装置５３を介して補助記憶装置５４にインストールされる。
【００４４】
補助記憶装置５４は、ＣＰＵ５６からの制御信号に基づき、本実施形態における実行プログラムや、コンピュータに設けられた制御プログラム等を記憶し、必要に応じて入出力を行う。補助記憶装置５４は、ＣＰＵ５６からの制御信号等に基づいて、記憶された各情報から必要な情報を読み出したり、書き込んだりすることができる。補助記憶装置５４は、例えばＨａｒｄ  Ｄｉｓｋ  Ｄｒｉｖｅ（ＨＤＤ）、Ｓｏｌｉｄ  Ｓｔａｔｅ  Ｄｒｉｖｅ（ＳＳＤ）等のストレージ手段等である。補助記憶装置５４は、例えば上述したコンテンツインデックス３１、利用管理情報３２、最大多重数判断基準３３、音声数判断基準３４、熟練度情報３５、及びコンテンツ本体３６を記憶する。
【００４５】
主記憶装置５５は、ＣＰＵ５６に実行させるＯｐｅｒａｔｉｎｇ  Ｓｙｓｔｅｍ（ＯＳ）プログラムやアプリケーションプログラムの少なくとも一部を一時的に記憶する。また、主記憶装置５５は、ＣＰＵ５６による処理に必要な各種データを記憶する。主記憶装置５５は、例えばＲｅａｄ  Ｏｎｌｙ  Ｍｅｍｏｒｙ（ＲＯＭ）やＲａｎｄｏｍ  Ａｃｃｅｓｓ  Ｍｅｍｏｒｙ（ＲＡＭ）等である。
【００４６】
ＣＰＵ５６は、ＯＳ等の制御プログラム、及び主記憶装置５５に格納されている実行プログラムに基づいて、各種演算や各ハードウェア構成部とのデータの入出力等、情報提供装置１１等のコンピュータ全体の処理を制御して各処理を実現する。プログラムの実行中に必要な各種情報等は、例えば補助記憶装置５４から取得することができ、また実行結果等を格納することもできる。
【００４７】
例えば、ＣＰＵ５６は、例えば入力装置５１から得られるプログラムの実行指示等に基づき、補助記憶装置５４にインストールされたプログラム（例えば、情報提供プログラム）を実行させることにより、主記憶装置５５上でプログラムに対応する処理を行う。例えば、ＣＰＵ５６は、情報提供プログラムを実行させることで、上述した通信部２１における各種データの送受信、端末情報取得部２２によるユーザ端末１２に関する情報の取得、選択部２３によるコンテンツ選択、最大多重数判断部２４による最大多重数の判断等の処理を行う。また、ＣＰＵ５６は、音声数判断部２５による音声数の判断、音声提供部２６による音声提供、熟練度情報管理部２７による熟練度情報の管理等の処理を行う。なお、ＣＰＵ５６における処理内容は、これに限定されるものではない。ＣＰＵ５６により実行された内容は、必要に応じて補助記憶装置５４に記憶される。
【００４８】
ネットワーク接続装置５７は、ＣＰＵ５６からの制御信号に基づき、上述した通信ネットワーク１３等と接続することにより、ユーザ端末１２との通信を行う。また、ネットワーク接続装置５７は、実行プログラムやソフトウェア、設定情報等を、通信ネットワーク１３に接続されている外部装置等から取得することができる。また、ネットワーク接続装置５７は、プログラムを実行することで得られた実行結果又は本実施形態における実行プログラム自体を外部装置等に提供することができる。
【００４９】
記録媒体５８は、上述したように実行プログラム等が格納されたコンピュータで読み取り可能な記録媒体である。記録媒体５８は、例えばフラッシュメモリ等の半導体メモリやＣＤ−ＲＯＭ、ＤＶＤ等の可搬型の記録媒体であるが、これに限定されるものではない。
【００５０】
上述したようなハードウェア構成により、本実施形態における情報提供処理を実行することができる。本実施形態は、各機能をコンピュータに実行させることができる実行プログラム（情報提供プログラム）を例えば汎用のＰＣ等にインストールすることで、ハードウェア資源とソフトウェアとが協働して本実施形態における情報提供処理を実現することができる。
【００５１】
＜ユーザ端末１２のハードウェア構成例＞
次に、ユーザ端末１２のハードウェア構成例について図を用いて説明する。図３は、ユーザ端末のハードウェア構成例を示す図である。図３の例において、ユーザ端末１２は、入力装置６１と、出力装置６２と、オーディオインタフェース６３と、通信インタフェース６４と、補助記憶装置６５と、主記憶装置６６と、ＣＰＵ６７と、ネットワーク接続装置６８とを有し、これらはシステムバスＢで相互に接続されている。
【００５２】
入力装置６１は、ユーザ端末１２を使用するユーザからのプログラムの実行指示、各種操作情報、ソフトウェア等を起動するための情報等の入力を受け付ける。入力装置６１は、例えばタッチパネルや所定の操作キー等である。入力装置６１に対する操作に応じた信号がＣＰＵ６７に送信される。
【００５３】
出力装置６２は、本実施形態におけるユーザ端末１２を操作するのに必要な各種ウィンドウやデータ等を表示するディスプレイを有し、ＣＰＵ６７が有する制御プログラムによりプログラムの実行経過や結果、設定情報等を表示することができる。
【００５４】
オーディオインタフェース６３は、例えば情報提供装置１１から得られる１又は複数のデジタル音声に対し、ＣＰＵ６７等の制御によりアナログ音声に変換したり、変換したアナログ音声を増幅して、上述したイヤホン４２等に出力する。
【００５５】
通信インタフェース６４は、上述した位置センサ４３からユーザ端末１２の位置情報（例えば、緯度・経度や座標等）、ユーザの頭部の姿勢情報等を取得する。
【００５６】
補助記憶装置６５は、例えば内蔵した磁気ディスクに対して、磁気的にデータの書き込み及び読み出し等を行う。補助記憶装置６５は、ＯＳプログラム、アプリケーションプログラム、及び各種データを記憶する。補助記憶装置６５は、例えばフラッシュメモリやＨＤＤ、ＳＳＤ等のストレージ手段等である。補助記憶装置６５には、例えばユーザ情報や位置情報等が記憶される。
【００５７】
主記憶装置６６は、ＣＰＵ６７に実行させるＯＳプログラムやアプリケーションプログラムの少なくとも一部を一時的に記憶する。また、主記憶装置６６は、ＣＰＵ６７による処理に必要な各種データを記憶する。主記憶装置６６は、例えばＲＯＭやＲＡＭ等である。
【００５８】
ＣＰＵ６７は、ＯＳ等の制御プログラム、及び主記憶装置６６に格納されている実行プログラムに基づいて、各種演算や各ハードウェア構成部とのデータの入出力等、ユーザ端末１２等のコンピュータ全体の処理を制御して各処理を実現することができる。プログラムの実行中に必要な各種情報等は、例えば補助記憶装置６５から取得することができ、また実行結果等を格納することもできる。
【００５９】
例えば、ＣＰＵ６７は、例えば入力装置６１から得られるプログラムの実行指示等に基づき、補助記憶装置６５にインストールされたプログラム（例えば、情報取得プログラム）を実行させることにより、主記憶装置６６上でプログラムに対応する処理を行う。
【００６０】
例えば、ＣＰＵ６７は、情報取得プログラムを実行させることで、上述した通信部４１における各種データの送受信、イヤホン４２による音声出力、位置センサ４３による位置情報の取得等の処理を行う。なお、ＣＰＵ６７における処理内容は、これに限定されるものではない。ＣＰＵ６７により実行された内容は、必要に応じて補助記憶装置６５に記憶される。
【００６１】
ネットワーク接続装置６８は、ＣＰＵ６７からの制御信号に基づき、通信ネットワーク１３等と接続することにより、実行プログラムやソフトウェア、設定情報等を、通信ネットワーク１３に接続されている外部装置（例えば、情報提供装置１１等）等から取得する。ネットワーク接続装置６８は、プログラムを実行することで得られた実行結果又は本実施形態における実行プログラム自体を外部装置等に提供することができる。また、ネットワーク接続装置６８は、例えばＷｉ−Ｆｉ（登録商標）やＢｌｕｅｔｏｏｔｈ（登録商標）等による通信を可能にする通信手段を有していてもよい。また、ネットワーク接続装置６８は、電話端末との通話を可能にする通話手段を有していてもよい。
【００６２】
上述したようなハードウェア構成により、本実施形態における情報取得処理を実行することができる。本実施形態は、各機能をコンピュータに実行させることができる実行プログラム（情報取得プログラム）を例えば通信端末等にインストールすることで、ハードウェア資源とソフトウェアとが協働して本実施形態における情報取得処理を実現することができる。
【００６３】
更に、ネットワーク接続装置６８は、例えばＷｉ−Ｆｉ（登録商標）やＢｌｕｅｔｏｏｔｈ（登録商標）等による通信を可能にする通信手段を有していてもよい。また、ネットワーク接続装置６８は、電話端末との通話を可能にする通話手段を有していてもよい。
【００６４】
＜情報提供システム１０における処理の一例＞
次に、上述した情報提供システム１０における処理の一例についてシーケンス図を用いて説明する。図４は、情報提供システムの処理の一例を示すシーケンス図である。図４の例では、上述した情報提供装置１１における情報提供処理とユーザ端末１２における情報取得処理とを含む全体のシーケンスを示している。
【００６５】
図４の例において、ユーザ端末１２の位置センサ４３は、ユーザ端末１２の位置情報を取得し（Ｓ０１）、取得した位置情報とユーザ端末１２のユーザ情報とを含む音声リクエストを、通信ネットワーク１３を介して情報提供装置１１に送信する（Ｓ０２）。
なお、Ｓ０１、Ｓ０２の処理は、ユーザ端末１２が所定時間毎に行ってもよく、例えば情報提供装置１１からユーザ端末１２に位置情報の取得要求を送信し、その返信として上述したＳ０１、Ｓ０２の処理を行ってもよい。
【００６６】
情報提供装置１１の通信部２１がユーザ端末１２から得られる音声リクエストを受信すると、最大多重数判断部２４は、受信した音声リクエストに含まれるユーザ情報と位置情報とから最大多重数を判断する（Ｓ０３）。なお、Ｓ０３の処理では、予め設定された最大多重数判断基準３３や熟練度情報３５等により、音声リクエストを送信したユーザに対する最大の多重数を判断する。
【００６７】
次に、選択部２３は、Ｓ０３の処理で判断された最大多重数を越えない範囲において、コンテンツを選択する（Ｓ０４）。なお、Ｓ０４の処理では、複数のコンテンツが選択された場合に、音声数判断部２５は、各コンテンツに対して予め設定された音声数判断基準３４や熟練度情報３５等により、ユーザの音声の慣れの応じた音声数を調整してもよい。
【００６８】
次に、音声提供部２６は、Ｓ０４により選択された少なくとも１つのコンテンツに対応する音声を取得し、取得した音声を音声ＡＲとしてユーザ端末１２側で再生するために、ユーザ端末１２の位置情報に合わせた音像定位を行う（Ｓ０５）。次に、音声提供部２６は、最大多重数や音声数に基づく音声の多重化を行う（Ｓ０６）。次に、通信部２１は、多重化された音声をユーザ端末１２に送信する（Ｓ０７）。
【００６９】
なお、情報提供装置１１の熟練度情報管理部２７は、送信された音声に対する熟練度情報３５の更新等の管理を行う（Ｓ０８）。ユーザ端末１２の通信部４１は、情報提供装置１１からの音声を受信し、イヤホン４２等の音声出力部から受信した音声を出力する（Ｓ０９）。
【００７０】
なお、上述の処理は、ユーザ端末１２からの音声リクエストが終了するまで、又は、ユーザの指示により本実施形態における情報提供処理が終了されるまで繰り返し行われる。したがって、ユーザの移動に対応させてリアルタイムな音声データをユーザに提供することができる。また、音声ＡＲによる情報提供を行わずに単に音声による情報提供を行う場合には、上述のＳ０５の処理を行わなくてもよい。
【００７１】
＜各種データ例等＞
次に、上述した情報提供システム１０で用いられる各種データ例等について、図を用いて説明する。図５は、情報処理システムで用いられる各種データ例を示す図である。図５（Ａ）は、コンテンツインデックス３１の一例を示す。図５（Ｂ）は、利用管理情報３２の一例を示す。図５（Ｃ）は、最大多重数判断基準３３の一例を示す。図５（Ｄ）は、熟練度情報３５の一例を示す。図５（Ｅ）は、コンテンツ本体３６の一例を示す。
【００７２】
図５（Ａ）に示すコンテンツインデックス３１の項目としては、例えば「人物ＩＤ」、「音声ＩＤ」、「位置」、「時間」等であるが、これに限定されるものではなく、提供されるコンテンツの種類に応じて映像や文字情報等を識別するＩＤを有していてもよい。図５（Ａ）に示す「人物ＩＤ」は、音声を出力する対象の人、物、サービス等を識別するための情報である。「音声ＩＤ」は、人物ＩＤ毎に設定される１又は複数の音声の内容を識別するための情報である。したがって、例えば１つの人物ＩＤに対して複数の音声ＩＤを設定することができる。
【００７３】
「位置」は、その音声ＩＤに対応する音声を再生する位置情報を示す。つまり、ユーザ端末１２から得られる位置情報と、コンテンツインデックス３１の位置情報との距離が近くなれば、そのコンテンツ（音声ＩＤ）に対応する音声がユーザ端末１２から出力される。なお、「位置」は、例えば、所定の座標（ｘ，ｙ）で設定することができるが、これに限定されるものではない。「時間」は、音声ＩＤに対応する音声の利用時間である。例えば、図５（Ａ）に示す「３ｓ」は、利用時間が３秒であることを示す。
【００７４】
図５（Ｂ）に示す利用管理情報３２の項目としては、例えば「利用ＩＤ」、「ユーザＩＤ」、「音声ＩＤ」、「利用開始時刻」、「コンテンツ長」、「音声数」等であるが、これに限定されるものではない。
【００７５】
図５（Ｂ）に示す「利用ＩＤ」は、再生等により利用される音声を識別するための情報である。利用ＩＤは、例えばユーザＩＤと音声ＩＤとの組み合わせにより異なるＩＤで管理される。「ユーザＩＤ」は、その音声を利用するユーザを識別するための情報である。「音声ＩＤ」は、利用する音声を識別するための情報であり、例えば図５（Ａ）に示す「音声ＩＤ」と同様のＩＤが設定される。
【００７６】
「利用開始時刻」は、その音声ＩＤに対応する音声が利用（再生）される日時である。「コンテンツ長」は、利用されるコンテンツの長さである。例えば、「４ｓ」は、４秒のコンテンツが利用されることを意味する。「音声数」は、その利用ＩＤに対応する音声に対し、音声数判断部２５で判断された音声数である。図５（Ｂ）に示す利用管理情報３２は、選択部２３によりコンテンツが選択された場合に、独立した利用ＩＤを発行して利用管理情報３２に追加し、音声提供部２６により管理される。
【００７７】
図５（Ｃ）に示す最大多重数判断基準３３の項目としては、「累積利用時間」、「最大多重数」等であるが、これに限定されるものではない。図５（Ｃ）に示す「累積利用時間」は、そのユーザがシステムを利用した累積時間であり、最大多重数を決定するための設定値である。「最大多重数」は、設定された累積利用時間に対応させて、多重可能な音声の最大数が設定されている。
【００７８】
図５（Ｃ）の例では、累積利用時間が１時間未満の場合に最大多重数を１とし、累積利用時間が１時間以上、７日間未満の場合に最大多重数を２とし、累積利用時間が７日以上の場合に最大多重数を３としているが、設定内容はこれに限定されるものではない。
【００７９】
図５（Ｄ）に示す熟練度情報３５の項目としては、例えば「人物名」、「累積利用時間」、「人物への慣れ」、「コンテンツへの慣れ」、「場所への慣れ」等であるが、これに限定されるものではない。
図５（Ｄ）に示す「人物名」は、ユーザＩＤに対する人物名を示す情報である。「累積利用時間」は、ユーザ毎のシステム全体の累積利用時間である。なお、累積利用時間は、例えば秒単位でもよく、日にち単位でもよい。
【００８０】
「人物への慣れ」は、例えば音声数判断部２５の音声数判断基準３４に基づいて設定されるその人物への慣れの情報である。「人物への慣れ」には、例えば後述する人物累積情報が記憶される。また、「コンテンツへの慣れ」は、例えば音声数判断部２５の音声数判断基準３４に基づいて設定されるそのコンテンツへの慣れの情報である。「コンテンツへの慣れ」には、例えば後述するコンテンツ累積情報が記憶される。また、「場所への慣れ」には、例えば後述する場所累積情報が記憶される。
【００８１】
「累積利用時間」、「人物への慣れ」、「コンテンツへの慣れ」、「場所への慣れ」に関する情報は、音声提供部２６による音声提供後、熟練度情報管理部２７により更新される。
【００８２】
図５（Ｅ）に示すコンテンツ本体３６の項目としては、例えば「音声ＩＤ」、「Ｕｎｉｆｏｒｍ  Ｒｅｓｏｕｒｃｅ  Ｌｏｃａｔｏｒ（ＵＲＬ）」、「内容」等であるが、これに限定されるものではなく、例えば映像や文字情報等のコンテンツを有していてもよい。図５（Ｅ）に示す「音声ＩＤ」は、音声を識別するための情報であり、上述したコンテンツインデックス３１、利用管理情報３２に含まれる音声ＩＤと同様である。「ＵＲＬ」は、「音声ＩＤ」に対応する音声データの格納先のアドレス情報である。アドレス情報は、ＵＲＬに限定されるものではなく、例えば情報提供装置１１内の格納先が設定されていてもよい。「内容」は、音声ＩＤに対応する音声データの中身（例えば、セリフ等）の情報である。
【００８３】
図６は、熟練度情報が有する各累積情報の一例を示す図である。図６（Ａ）は、人物累積情報の一例を示す。図６（Ｂ）は、コンテンツ累積情報の一例を示す。図６（Ｃ）は、場所累積情報の一例を示す。各累積情報は、図５（Ｄ）に示す熟練度情報３５に対応しており、ユーザＩＤ「ｐ０１」に対する各累積情報を示している。
【００８４】
図６（Ａ）に示す人物累積情報には、例えば人物ＩＤ毎の累積された利用時間（再生時間）が記憶される。なお、利用時間は、例えば秒単位に記憶されてもよい。図６（Ｂ）に示すコンテンツ累積情報には、音声ＩＤ毎の累積された利用回数が記憶される。
【００８５】
図６（Ｃ）に示す場所累積情報には、場所名毎の累積された来場回数が記憶される。なお、場所名には、位置情報（例えば、緯度・経度、座標等）を含んでいてもよく、場所及び位置情報を記憶してもよい。「来場回数」は、ユーザが「場所名」で設定した場所（位置情報）に行った回数であり、コンテンツを利用した位置情報に対する回数である。この情報は、例えばユーザ端末１２からの位置情報が、上述したその場所に近いか、又はその場所の範囲内に含まれるかによって、来場したか否かを判断することができ、来場する毎に回数が更新される。
【００８６】
これらの情報は、音声提供部２６によりユーザ端末１２に音声が提供される毎に熟練度情報管理部２７により対応するデータが更新される。
【００８７】
図７は、音声数判断基準の一例を示す図である。図７（Ａ）は、各人物ＩＤの声色の利用時間に対する音声数判断基準の一例を示す。例えば、同一の人物ＩＤが異なる音声を出力した場合であっても、同一の人物の利用時間として加算される。なお、利用時間は、例えば秒単位や日にち単位でもよい。
【００８８】
図７（Ａ）の例では、利用時間が多いほど、ユーザが聞き慣れてくるため、結果として音声数は小さくなるが、所定の時間以上（例えば、８時間以上等）は、音声数が小さくなり過ぎないように音声数を調整してもよい。利用時間から音声数への換算内容については、図７（Ａ）の例に限定されるものではない。
【００８９】
図７（Ｂ）は、各音声ＩＤの利用回数に対する音声数判断基準の一例を示す。利用回数は、例えば情報提供装置１１からユーザ端末１２に送信した時点で、利用したものとみなしてカウントを行ってもよく、また例えば利用後にユーザ端末１２から利用完了情報を受け取ったときに利用回数をカウントしてもよい。
【００９０】
図７（Ｂ）の例では、利用回数が多い方が、ユーザが聞き慣れてくるため、音声数を小さく設定するが、所定の回数以上（例えば、１６回以上等）は、音声数が小さくなり過ぎないように調整される。なお、利用回数から音声数への換算内容については、図７（Ｂ）に例に限定されるものではない。
【００９１】
図７（Ｃ）は、各場所への来場回数に対する音声数判断基準の一例を示す。図７（Ｃ）の例では、来場回数が多い方が、ユーザが聞き慣れてくるため、音声数を小さく設定するが、所定の回数以上（例えば、１００回以上等）は、音声数が小さくなり過ぎないように調整される。なお、来場回数から音声数への換算内容については、図７（Ｃ）に例に限定されるものではない。
【００９２】
音声数判断部２５は、上述した利用時間、利用回数、及び来場回数のうち、少なくとも１つから得られた音声数を用いて、各ユーザのコンテンツに対する音声数を判断する。なお、音声数判断部２５は、複数の音声数を用いてコンテンツに対する音声数を判断する場合には、利用時間、利用回数、及び来場回数に対する優先度を設定し、設定した優先度に基づく重み付けを行った上で乗算や加算等の算出を行って音声数を取得してもよい。
【００９３】
本実施形態では、人の声色への慣れについては、人の声を単独で聞いた時間が長いほど声をキャッチしやすい。人の声色の慣れとは、例えば基本的な用途としては、知人及びシステム音が対象となる。また、初期の例のように自分の住む街の音声を含めることも可能である。また、音声の利用回数については、よく使う呼びかけについては、多重化しても意味を感じ取れる。また、音声は、聞く場所との関連性が強いため、その場所へ行った回数が多いほど、その場所から提供される音声は、多重化しても意味を感じ取れる。したがって、これらの指標に基づいて音声数を設定することで、適切な多重音声を提供することができる。本実施形態では、このようなデータ例を用いることで、様々なユーザに対して、システムへの熟練度及び音声への慣れに応じた多重度で音声を提供することができる。
【００９４】
＜選択部２３の処理の一例＞
次に、上述した選択部２３の処理の一例について、フローチャートを用いて説明する。図８は、選択部の処理の一例を示すフローチャートである。図８の例において、選択部２３は、端末情報取得部２２からユーザ端末１２のユーザＩＤと位置情報とを取得し（Ｓ１１）、最大多重数判断部２４に問い合わせて、ユーザＩＤに対応する最大多重数を取得する（Ｓ１２）。
【００９５】
次に、選択部２３は、コンテンツインデックス３１に含まれる未取得のコンテンツのうちユーザの位置情報に最も近い（最近傍の）音声ＩＤを取得する（Ｓ１３）。次に、選択部２３は、音声数判断部２５に問い合わせて、Ｓ１３の処理により取得した音声ＩＤに対する音声数を取得する（Ｓ１４）。
【００９６】
次に、選択部２３は、これまでに取得した音声ＩＤの音声数の合計がＳ１２の処理で取得した最大多重数未満であるか否かを判断する（Ｓ１５）。選択部２３は、音声数の合計が最大多重数未満である場合（Ｓ１５において、ＹＥＳ）、例えば独立した利用ＩＤを発行して利用管理情報３２に追加し（Ｓ１６）、Ｓ１３の処理に戻る。また、選択部２３は、Ｓ１５の処理において、音声数の合計が最大多重数未満でない場合（Ｓ１５において、ＮＯ）、音声提供部２６に利用管理情報３２に追加した利用ＩＤを出力する（Ｓ１７）。
【００９７】
＜最大多重数判断部２４の処理の一例＞
次に、上述した最大多重数判断部２４の処理の一例について、フローチャートを用いて説明する。図９は、最大多重数判断部の処理の一例を示すフローチャートである。図９の例において、最大多重数判断部２４は、選択部２３から最大多重数の問い合わせとしてユーザＩＤを取得し（Ｓ２１）、取得したユーザＩＤを用いて熟練度情報３５を参照し、熟練度情報３５からユーザＩＤに対応する累積利用時間を取得する（Ｓ２２）。
【００９８】
次に、最大多重数判断部２４は、取得した累積利用時間を用いて最大多重数判断基準３３を参照し、最大多重数判断基準３３から累積利用時間に対応する最大多重数を取得する（Ｓ２３）。次に、最大多重数判断部２４は、取得した最大多重数を選択部２３に出力する（Ｓ２４）。
【００９９】
例えば、最大多重数判断部２４は、選択部２３からユーザＩＤ「ｐ０１」を取得すると、上述した図５（Ｄ）に示す熟練度情報３５を参照し、累積利用時間「１０３時間１４分」を取得する。また、最大多重数判断部２４は、上述した図５（Ｃ）に示す最大多重数判断基準３３を参照し、累積利用時間に対応する最大多重数「２」を取得し、取得した最大多重数「２」を選択部２３に出力する。
【０１００】
＜音声数判断部２５の処理の一例＞
次に、上述した音声数判断部２５の処理の一例について、フローチャートを用いて説明する。図１０は、音声数判断部の処理の一例を示すフローチャートである。図１０の例において、音声数判断部２５は、選択部２３から音声数の問い合わせとして、ユーザＩＤ、音声ＩＤ、人物ＩＤを取得する（Ｓ３１）。
【０１０１】
次に、音声数判断部２５は、取得したユーザＩＤ、人物ＩＤを用いて熟練度情報３５を参照し、熟練度情報３５からユーザＩＤと人物ＩＤとに対応する利用時間を取得する（Ｓ３２）。次に、音声数判断部２５は、音声数判断基準３４から、Ｓ３２の処理で取得した利用時間に対応する音声数（音声数１）を取得する（Ｓ３３）。
【０１０２】
次に、音声数判断部２５は、熟練度情報３５から、ユーザＩＤと音声ＩＤとに対応する利用回数を取得する（Ｓ３４）。次に、音声数判断部２５は、音声数判断基準３４から、Ｓ３４の処理で取得した利用回数に対応する音声数（音声数２）を取得する（Ｓ３５）。
【０１０３】
次に、音声数判断部２５は、音声数１と音声数２を乗算（音声数１×音声数２）等により算出し、その結果を選択部２３に出力する（Ｓ３６）。
【０１０４】
例えば、音声数判断部２５は、選択部２３から得られるユーザＩＤ「ｐ０１」及び人物ＩＤ「ａ」を取得すると、上述した図５（Ｄ）に示す熟練度情報３５と、図６（Ａ）に示す人物累積情報から利用時間「１４分」を取得する。また、音声数判断部２５は、図７（Ａ）に示す音声数判断基準３４から利用時間「１４分」に対応する音声数「０．８」を取得する（音声数１）。また、音声数判断部２５は、選択部２３から得られるユーザＩＤ「ｐ０１」及び音声ＩＤ「００１」を取得すると、上述した図５（Ｄ）に示す熟練度情報３５と、図６（Ｂ）に示すコンテンツ累積情報から利用回数「２回」を取得する。また、音声数判断部２５は、図７（Ｂ）に示す音声数判断基準３４から利用回数「２回」に対応する音声数「０．８」を取得する（音声数２）。音声数判断部２５は、音声数１（０．８）と音声数２（０．８）とを乗算した結果（０．６４）を選択部２３に出力する。出力された音声数は、選択部２３により利用管理情報３２に記憶される。
【０１０５】
なお、上述の例では、人物への慣れ及びコンテンツへの慣れに対応する音声数を取得したが、これに限定されるものではなく、人物への慣れ、コンテンツへの慣れ、及び場所への慣れのうち、少なくとも１つの慣れ度合に基づいて対応する音声数を取得してもよい。
＜音声提供部２６の処理の一例＞
次に、上述した音声提供部２６の処理の一例について、フローチャートを用いて説明する。図１１は、音声提供部の処理の一例を示すフローチャートである。図１１の例において、音声提供部２６は、選択部２３から利用ＩＤとユーザの位置情報とを取得する（Ｓ４１）。
【０１０６】
次に、音声提供部２６は、利用管理情報から利用ＩＤに対応する情報を取得し（Ｓ４２）、コンテンツインデックス３１から音声の位置を取得し(Ｓ４３)、ユーザと音声との相対位置に対応する音声を生成する（Ｓ４４）。
【０１０７】
次に、音声提供部２６は、生成した音声を所定のタイミングで通信部２１からユーザ端末１２に送信する（Ｓ４５）。なお、Ｓ４５の処理において、音声提供部２６は、例えば生成した音声を再生中の音に加えて多重させて通信部２１からユーザ端末１２に送信する。また、音声提供部２６は、音声をユーザ端末１２に送信する前に音像定位を行ってもよい。
【０１０８】
次に、音声提供部２６は、再生が終了した利用ＩＤに対応する利用管理情報を熟練度情報管理部２７に出力する（Ｓ４６）。次に、音声提供部２６は、利用管理情報３２から利用が終了した利用ＩＤのエントリを削除する（Ｓ４７）。
【０１０９】
＜熟練度情報管理部２７の処理の一例＞
次に、上述した熟練度情報管理部２７の処理の一例について、フローチャートを用いて説明する。図１２は、熟練度情報管理部の処理の一例を示すフローチャートである。図１２の例において、熟練度情報管理部２７は、音声提供部２６から再生が終了した利用ＩＤに対する利用管理情報を取得し（Ｓ５１）、熟練度情報３５にあるユーザＩＤ、音声ＩＤに対する利用回数を１増加する（Ｓ５２）。次に、熟練度情報管理部２７は、ユーザＩＤ、人物ＩＤに対する利用時間を増やし（Ｓ５３）、ユーザＩＤに対し、利用時間だけ累積利用時間を増加する（Ｓ５４）。
【０１１０】
＜具体例＞
例えば、街中等では、多くの人・物・サービスの音声提供が行われており、ユーザは多くの音声情報を効率よく取得することが好ましい。しかしながら、従来のシステムでは、音声を１つだけ選んで冗長な話を聞き続ける無駄を強いられたり、複数の音声を同時に流した結果、音が重なり過ぎて聞き取れなくなったりしていた。
【０１１１】
ここで、音声を重ねた時の聞き取り易さには、個人差や環境差があり、例えば「声色を知っているか」、「内容を知っているか」、「複数の物体の間で声色が似ているかどうか」、「位置が離れているかどうか」、「物体を視認しているか」等により聞き取り易さが異なる。
【０１１２】
そこで、本実施形態では、上述したように個人差や環境差に応じて音声の提示の多重度を変える。図１３は、本実施形態における音声提供の具体例を説明するための図である。
【０１１３】
本実施形態では、図１３（Ａ）に示すように、ユーザ７１の所定方向への移動に従って周囲の人や物体、サービス等に応じた音声が提供されるシステムを示している。例えば音声ＡＲ環境において、ユーザの周囲には人物ＩＤａ〜ｚまでの人物が存在している。なお、人物の数は、これに限定されるものではない。
【０１１４】
ユーザ７１が所持するユーザ端末１２は、ユーザ７１の所定の方向への移動に対して、定期的又は所定距離以上の移動があった場合等の所定のタイミングで現在の移動位置を取得する。また、ユーザ端末１２は、取得した位置情報をユーザ情報と共に通信ネットワーク１３を介して情報提供装置１１に送信する。情報提供装置１１は、ユーザ端末１２から得られた移動情報から、ユーザの現在位置から所定範囲（例えば、図１３（Ａ）に示す範囲７２）に含まれる位置のうち、最近傍の人物の音声から順に最大多重数を越えない多重数の音声を提供する。このとき、本実施形態では、例えばユーザ７１のシステムへの熟練度による音声の最大多重数や、慣れによる音声数等に基づいて最大多重数を調整する。
【０１１５】
図１３（Ｂ）の例では、ユーザ７１のシステムへの熟練度に合わせて最大多重数を２と設定し、人物ＩＤａ〜ｄのそれぞれに対応する音声ＩＤ００１〜００４の音声をユーザ７１の移動するタイミングに合わせて、ユーザ端末１２から出力する。なお、本実施形態では、音声ＩＤ００１〜００４の音声が情報提供装置１１によって音像定位される。また、ユーザ７１は、上述した手法を用いて音声ＡＲにより空間での音声提供を受けることができる。例えば、図１３（Ａ）の状況では、ユーザ７１の前方から人物ＩＤ「ｃ」の音声が聞こえ、ユーザ７１の左方向から人物ＩＤ「ｂ」の音声が聞こえ、ユーザ７１の左前方から人物ＩＤ「ｄ」の音声が聞こえる。
【０１１６】
ここで、本実施形態における情報提供システム１０を利用するユーザの一例として、新人ユーザと熟練ユーザとに対する音声提供の様子について、図を用いて説明する。
【０１１７】
＜新人ユーザの場合＞
図１４は、新人ユーザに対する音声提供の一例を示す図である。新人ユーザ７１−１は、システムへの熟練度が低いため、同時に多くの音を提供されると、それぞれの音を把握できない。したがって、情報提供装置１１は、新人ユーザ７１−１の場合に、最大多重数を１（音声１）とする。また、情報提供装置１１は、新人ユーザ７１−１の場合に、最大同時数初めて聞く八百屋店長（人物ＩＤ「ａ」）の音声（音声ＩＤ「００１」）の音声数を「１．０」として設定する。また、同様に銀行員（人物ＩＤ「ｂ」）の音声（音声ＩＤ「００２」）、お弁当販売員（人物ＩＤ「ｃ」）の音声（音声ＩＤ「００３」）、工事の作業員（人物ＩＤ「ｄ」）の音声（音声ＩＤ「０００４」）のそれぞれの音声数も「１．０」として設定する。
【０１１８】
また、情報提供装置１１は、それぞれの音声ＩＤに対応する音声をコンテンツ本体３６から取得し、取得した音声を多重させずに１つずつユーザ端末１２に提供する。したがって、新人ユーザ７１−１の場合には、図１４に示すタイミングでユーザに各音声が提供される。
【０１１９】
なお、情報提供装置１１は、各音声を提供する間隔（図１４におけるｔ１〜ｔ３）を調整してもよい。調整は、例えば連続する音声同士の音質、音声の内容等の関連度により調整することができるが、これに限定されるものではない。例えば、連続する２つの音声が男性と女性の場合には、関連度が低いとして出力する間隔を短くしてもよく、２つの音声が同姓の場合には、関連度が高いとして出力する間隔を長くしてもよい。これにより、新人ユーザ７１−１は、本実施形態を用いて適切な情報を受け取ることができる。
【０１２０】
＜熟練ユーザの場合＞
図１５は、熟練ユーザに対する音声提供の一例を示す図である。熟練ユーザ７１−２は、システムへの熟練度が高いため、慣れた音声を聞く場合、同時に多くの音声を提供されてもそれらの音声を把握できる。そのため、本実施形態では、多くの情報を同時に提供する。
【０１２１】
例えば、情報提供装置１１は、熟練ユーザ７１−２の場合に、最大多重数を３（音声１〜３）とする。また、情報提供装置１１は、熟練ユーザ７１−２の場合に、日頃からよく聞く八百屋店長（人物ＩＤ「ａ」）の音声（音声ＩＤ「００１」）の音声数を「０．６」として設定する。また、情報提供装置１１は、何度か聞いたことある銀行（人物ＩＤ「ｂ」）の音声（音声ＩＤ「００２」）の音声数を「０．８」として設定し、日頃からよく聞くお弁当販売員（人物ＩＤ「ｃ」）の音声（音声ＩＤ「００３」）の音声数を「０．６」として設定する。また、情報提供装置１１は、最近始まった工事の作業員（人物ＩＤ「ｄ」）の音声（音声ＩＤ「００４」）の音声数を「１．０」として設定する。
【０１２２】
また、情報提供装置１１は、それぞれの音声ＩＤに対応する音声をコンテンツ本体３６から取得し、取得した音声を所定のタイミングで多重させて、熟練ユーザ７１−２に提供される。
【０１２３】
図１５の例では、最大多重数は３であるが、調整された音声数の合計値に基づいて最大多重数を越えないように音声を多重させることができるため、例えば図１５の区間ｔａに示すように、４つの音声を同時に出力することもできる。これは、音声ＩＤ００１〜００４の合計値が０．６＋０．８＋０．６＋１．０＝３．０であり、最大多重数以下だからである。これにより、熟練ユーザ７１は、短時間で効率よく周囲を把握することができる。
【０１２４】
上述したように、本実施形態では、重ねる際の音声の聞き取りやすさをユーザ毎に設定することができる。
【０１２５】
このようにユーザは、熟練度に応じて多重される音声数が設定されるため、それぞれの音声を把握することができる。なお、上述した新人ユーザ７１−１や熟練ユーザ７１−２は、あくまでのユーザの一例を説明したものであり、具体的には、熟練度情報に対応する累積利用時間等に基づいて最大多重数や音声数等が設定される。
【０１２６】
＜他の実施形態＞
上述した実施形態において、選択部２３は、最大多重数及び音声数に応じてコンテンツを選択したが、これに限定されるものではなく、例えばコンテンツインデックス３１に予め設定されたコンテンツ毎の優先度に基づいてコンテンツを選択してもよい。例えば、選択部２３は、ユーザ端末１２からの距離が同一のコンテンツが複数ある場合に、上述した優先度に応じてコンテンツの選択を行ってもよい。
【０１２７】
なお、優先度を利用する例は、これに限定されるものではなく、例えばユーザの現在位置からの距離が同一か否かに関係なく、ユーザの位置を基準として所定の範囲に含まれる複数のコンテンツの中から優先度に応じて提供するコンテンツを選択してもよい。
【０１２８】
図１６は、優先度を有するコンテンツインデックスのデータ例を示す図である。図１６に示すコンテンツインデックスの項目としては、例えば「人物ＩＤ」、「音声ＩＤ」、「位置」、「時間」、「優先度」を有する。ここで、上述した図５（Ａ）に示すコンテンツインデックス３１のデータ例と比較すると、図１６の例では、各人物ＩＤ又は各音声ＩＤに対する優先度が設定されている。なお、図１６に示す優先度は、「高」、「中」、「低」と３つのレベルが設定できるが、優先度の設定方法についてはこれに限定されるものではなく、例えば、数値による１０段階の設定等も可能である。
【０１２９】
例えば、音声ＩＤ「００４」の「工事中気を付けて」等のように、ユーザに確実に認識させる必要性が高い場合には、優先度に「高」が設定される。また、音声ＩＤ「００１」の「へい、らっしゃい」等のように、ユーザに確実に認識させる必要性が低い場合には、優先度に「低」が設定される。また、図１６に示すように人物ＩＤ毎に優先度を設定しておくことで、例えばユーザの位置から人物ＩＤ「ａ」の距離と、人物ＩＤ「ｄ」の距離とが同一である場合に、優先度に基づいて人物ＩＤ「ｄ」の内容が先に提示される。
【０１３０】
なお、図１６に示す優先度は、人物ＩＤや音声の内容に応じて設定することができ、例えば人物ＩＤが警察に対応するＩＤである場合には、その優先度を高くし、八百屋等の場合には、優先度を低く設定することができる。
【０１３１】
更に、上述した優先度を利用して、例えば優先度の高い音声の再生スピードをゆっくり再生し、優先度の低い音声を早く再生するといった再生スピードの調整を行ってもよい。音声の再生スピードを調整する場合には、選択部２３から音声提供部２６へ優先度を通知することで、音声提供部２６で優先度に基づく再生スピードを変更することができる。
【０１３２】
また、本実施形態では、再生スピードの調整と同様に、上述した優先度に対応させて優先度の高いものは音量を大きくし、優先度の小さいものは音量を小さくするといった音量や音圧の調整を行ってもよい。優先度の設定は、管理者等が事前に設定することができるが、これに限定されるものではない。
【０１３３】
図１７は、他の実施形態における選択部の処理の一例を示すフローチャートである。図１７の例では、上述した優先度を有する選択部の処理の一例を示している。図１７の例において、選択部２３は、端末情報取得部２２からユーザＩＤと位置情報とを取得し（Ｓ６１）、ユーザＩＤに対応する最大多重数を最大多重数判断部２４に問い合わせる（Ｓ６２）。
【０１３４】
次に、選択部２３は、コンテンツインデックス３１から未取得のコンテンツのうちユーザの位置情報に最も近い（最近傍の）音声ＩＤを取得する（Ｓ６３）。次に、選択部２３は、最近傍の音声ＩＤが複数ある場合は優先度に基づいて音声ＩＤを取得する（Ｓ６４）。
【０１３５】
ここで、図１７に示すＳ６５〜Ｓ６８の処理は、上述したＳ１４〜Ｓ１７の処理と同様であるため、ここでの具体的な説明は省略する。上述したように、優先度を設定しておくことで、その場所において必要な音声を優先的にユーザに提供することができる。
【０１３６】
上述したように本実施形態によれば、適切な情報提供を実現することができる。例えば、本実施形態では、ユーザのシステムへの熟練度や音への慣れによって音の提供方法を柔軟に変えることができる。例えば、本実施形態によれば、多重する音声の聞き取り易さをユーザ毎に設定することができる。
【０１３７】
例えば、本実施形態では、複数の音声ＡＲを実行する音声ＡＲシステムにおいて、ユーザの慣れ度合（例えば、利用時間、利用回数、来場回数等）や、複数の音声ＡＲの音質等の関連度の組み合わせ等に応じて、音声ＡＲの多重数を切り替えることで、ユーザが認識可能な形で音声ＡＲを効率よく実行することができる。
【０１３８】
本実施形態は、例えば博物館や美術館、展示会、商店街、遊園地等において、イヤホンやヘッドホン等の耳装着型の再生装置を用いたユーザが、展示物等の方向から、その展示物に係る展示案内の音声や音楽を聴取可能にするシステム等に適用可能である。
【０１３９】
また、上述した本実施形態では、音声による提供例を示したが、これに限定されるものではなく、例えば映像や文字情報等の他のコンテンツ等の情報提供であってもよく、複数のコンテンツを組み合わせて提供されてもよい。
【０１４０】
以上、実施例について詳述したが、特定の実施例に限定されるものではなく、特許請求の範囲に記載された範囲内において、種々の変形及び変更が可能である。また、上述した各実施例の一部又は全部を組み合わせることも可能である。
【０１４１】
なお、以上の実施例に関し、更に以下の付記を開示する。
（付記１）
予め記憶部に記憶されたコンテンツからユーザの位置情報に対応するコンテンツを選択する選択部と、
前記選択部により選択された前記コンテンツに対する前記ユーザの慣れ度合に対応させた多重数で前記コンテンツを多重し、多重した前記コンテンツを前記ユーザに提供する提供部とを有することを特徴とする情報提供装置。
（付記２）
前記コンテンツに対する前記ユーザの慣れ度合は、前記コンテンツを提供する人物への慣れ、前記コンテンツの慣れ、前記コンテンツが提供された場所への慣れのうち、少なくとも１つに対応する慣れの度合であることを特徴とする付記１に記載の情報提供装置。
（付記３）
前記ユーザの前記コンテンツに対する累積利用時間から前記コンテンツの最大多重数を判断し、前記ユーザのコンテンツ毎の利用時間、利用回数、及び前記コンテンツを利用した位置情報に対する回数のうち、少なくとも１つに基づいて前記コンテンツに対する認識率を判断する判断部とを有し、
前記選択部は、前記判断部から得られる前記最大多重数及び前記認識率に基づいて前記慣れ度合に対応する多重数で多重させるコンテンツを選択することを特徴とする付記１又は２に記載の情報提供装置。
（付記４）
前記提供部により前記ユーザに提供されたコンテンツに対応させて前記累積利用時間、前記利用時間、前記利用回数、及び前記コンテンツを利用した位置情報に対する回数の値を更新する管理部を有することを特徴とする付記３に記載の情報提供装置。
（付記５）
前記選択部は、
前記コンテンツ毎に設定された優先度に応じて前記ユーザに提供するコンテンツを選択することを特徴とする付記１乃至４の何れか１項に記載の情報提供装置。
（付記６）
前記提供部は、
前記ユーザに提供するコンテンツとして音声を多重する場合に、前記ユーザの移動方向又は姿勢情報に基づいて、前記コンテンツの音像定位を行うことを特徴とする付記１乃至５の何れか１項に記載の情報提供装置。
（付記７）
ユーザ端末と、該ユーザ端末にコンテンツを提供する情報提供装置とを有する情報提供システムにおいて、
前記情報提供装置は、
前記ユーザ端末の位置情報を取得し、予め記憶部に記憶されたコンテンツから前記位置情報に対応するコンテンツを選択する選択部と、
前記選択部により選択された前記コンテンツに対する前記ユーザ端末を使用するユーザの慣れ度合に対応させた多重数で前記コンテンツを多重し、多重した前記コンテンツを前記ユーザ端末に提供する提供部とを有することを特徴とする情報提供システム。
（付記８）
予め記憶部に記憶されたコンテンツからユーザの位置情報に対応するコンテンツを選択し、
選択された前記コンテンツに対する前記ユーザの慣れ度合に対応させた多重数で前記コンテンツを多重し、多重した前記コンテンツを前記ユーザに提供する、処理をコンピュータに実行させるための情報提供プログラム。
（付記９）
情報提供装置が、
予め記憶部に記憶されたコンテンツからユーザの位置情報に対応するコンテンツを選択し、
選択された前記コンテンツに対する前記ユーザの慣れ度合に対応させた多重数で前記コンテンツを多重し、多重した前記コンテンツを前記ユーザに提供する提供部とを有することを特徴とする情報提供方法。
【符号の説明】
【０１４２】
１０  情報提供システム
１１  情報提供装置
１２  ユーザ端末
１３  通信ネットワーク
２１，４１  通信部
２２  端末情報取得部
２３  選択部
２４  最大多重数判断部
２５  音声数判断部
２６  音声提供部
２７  熟練度情報管理部
３１  コンテンツインデックス
３２  利用管理情報
３３  最大多重数判断基準
３４  音声数判断基準
３５  熟練度情報
３６  コンテンツ本体
４２  イヤホン
４３  位置センサ
５１，６１  入力装置
５２，６２  出力装置
５３  ドライブ装置
５４，６５  補助記憶装置
５５，６６  主記憶装置
５６，６７  ＣＰＵ
５７，６８  ネットワーク接続装置
５８  記録媒体
６３  オーディオインタフェース
６４  通信インタフェース
７１  ユーザ
７２  範囲
【図１】
2015023534.tif 000003
【図２】
2015023534.tif 000004
【図３】
2015023534.tif 000005
【図４】
2015023534.tif 000006
【図５】
2015023534.tif 000007
【図６】
2015023534.tif 000008
【図７】
2015023534.tif 000009
【図８】
2015023534.tif 000010
【図９】
2015023534.tif 000011
【図１０】
2015023534.tif 000012
【図１１】
2015023534.tif 000013
【図１２】
2015023534.tif 000014
【図１３】
2015023534.tif 000015
【図１４】
2015023534.tif 000016
【図１５】
2015023534.tif 000017
【図１６】
2015023534.tif 000018
【図１７】
2015023534.tif 000019